(57)【要約】【課題】簡単にスケジュールを確認でき、且つスケジュールデータの転送し忘れを防止することができる情報管理システムを提供する。【解決手段】勤怠管理装置３は、ＩＤと個人毎のスケジュールデータと、を関連付けて記憶しておくスケジュール記憶手段３８と、個人識別媒体２からＩＤを読み取る読取手段と、読み取ったＩＤに対応する個人の出社時刻および退社時刻の少なくとも一方を記録する出退時刻記録手段２８と、読み取ったＩＤに対応するスケジュールデータをスケジュール記憶手段３８から抽出するスケジュール抽出手段と、抽出したスケジュールデータを個人識別媒体２に送信するスケジュール送信手段と、を備え、個人識別媒体２は、勤怠管理装置３からスケジュールデータを受信するスケジュール受信手段と、受信したスケジュールデータを記憶する記憶手段５２と、記憶したスケジュールデータを表示する表示手段４４と、を備える。【選択図】図１
2009193291.tif 000002
【特許請求の範囲】
【請求項１】
個人を特定するためのＩＤが割り当てられた個人識別媒体と、前記個人識別媒体から前記ＩＤを読み取ることにより勤怠管理を行う勤怠管理装置と、を有する情報管理システムであって、
前記勤怠管理装置は、
前記ＩＤと前記個人毎のスケジュールデータと、を関連付けて記憶しておくスケジュール記憶手段と、
前記個人識別媒体から前記ＩＤを読み取る読取手段と、
読み取った前記ＩＤに対応する前記個人の出社時刻および退社時刻の少なくとも一方を記録する出退時刻記録手段と、
読み取った前記ＩＤに対応するスケジュールデータを前記スケジュール記憶手段から抽出するスケジュール抽出手段と、
抽出した前記スケジュールデータを前記個人識別媒体に送信するスケジュール送信手段と、を備え、
前記個人識別媒体は、
前記勤怠管理装置から前記スケジュールデータを受信するスケジュール受信手段と、
受信した前記スケジュールデータを記憶する記憶手段と、
記憶した前記スケジュールデータを表示する表示手段と、を備えたことを特徴とする情報管理システム。
【請求項２】
前記勤怠管理装置は、
前記スケジュール記憶手段から、前記スケジュールデータを抽出するための所定の抽出条件を設定する抽出条件設定手段をさらに備え、
前記スケジュール抽出手段は、
設定された抽出条件に基づいて、前記スケジュールデータを抽出することを特徴とする請求項１に記載の情報管理システム。
【請求項３】
前記個人識別媒体は、
前記表示手段による表示内容を切り替えるための操作手段をさらに備えたことを特徴とする請求項１または２に記載の情報管理システム。
【請求項４】
前記個人識別媒体は、カード型の媒体であり、
前記表示手段は、電子ペーパーで形成されていることを特徴とする請求項１ないし３のいずれか１項に記載の情報管理システム。
【請求項５】
請求項１ないし４のいずれか１項に記載の情報管理システムに用いられることを特徴とする個人識別媒体。
【発明の詳細な説明】
【技術分野】
【０００１】
本発明は、従業員の勤怠管理およびスケジュール管理を行う情報管理システムおよび個人識別媒体に関するものである。
【背景技術】
【０００２】
従来、従業員の業務スケジュールを管理するための業務スケジュール管理システムが知られている。この業務スケジュール管理システムは、入力装置となるパーソナルコンピュータ（ＰＣ）と、表示制御およびスケジュールデータの追加／変更処理を行うデータ処理装置と、スケジュールデータベースやマスタデータベースからなる記憶装置と、から構成されている。そして、ユーザが入力装置からこの業務スケジュール管理システムを起動させると、データ処理装置により入力装置に対してスケジュールを入力するための画面が表示され、ユーザはこの画面上で、スケジュールの新規登録／追加／変更、業務の進捗状況などの入力を行う。また、ユーザは、入力装置から当該画面上で、自分（あるいは他社員）が行うべき業務の予定及び進捗状況を確認することができる（例えば、特許文献１参照）。
【特許文献１】特開２００２−４１７３１号公報
【発明の開示】
【発明が解決しようとする課題】
【０００３】
しかし、上記の業務スケジュール管理システムでは、ユーザが自分のスケジュールを確認する場合、ＰＣ（入力装置）を利用して確認する必要がある。このため、ＰＣが手元にない場合にスケジュールの確認が必要となったとしても（例えば、会議室等で打ち合わせをしている際に、次の打合せの日程を決める場合等）、直ぐに確認することができないという問題がある。また、外出先等でスケジュールを確認する場合には、ユーザが携帯する携帯情報端末（例えば、携帯電話やＰＤＡ（Personal Digital Assistant）等）にＰＣからスケジュールデータを転送しておくことが考えられるが、スケジュールデータの転送が習慣になっていないユーザは、このデータ転送を忘れてしまうことがあり、この場合、スケジュールの確認ができないという問題がある。
【０００４】
本発明は、上記の問題点に鑑みたものであり、簡単にスケジュールを確認でき、且つスケジュールデータの転送し忘れを防止することができる情報管理システムおよび個人識別媒体を提供することを目的とする。
【課題を解決するための手段】
【０００５】
本発明の情報管理システムは、個人を特定するためのＩＤが割り当てられた個人識別媒体と、個人識別媒体から前記ＩＤを読み取ることにより勤怠管理を行う勤怠管理装置と、を有する情報管理システムであって、勤怠管理装置は、ＩＤと個人毎のスケジュールデータと、を関連付けて記憶しておくスケジュール記憶手段と、個人識別媒体からＩＤを読み取る読取手段と、読み取ったＩＤに対応する個人の出社打刻の時刻および退社打刻の時刻の少なくとも一方を記録する出退時刻記録手段と、読み取ったＩＤに対応するスケジュールデータをスケジュール記憶手段から抽出するスケジュール抽出手段と、抽出したスケジュールデータを個人識別媒体に送信するスケジュール送信手段と、を備え、個人識別媒体は、勤怠管理装置からスケジュールデータを受信するスケジュール受信手段と、受信したスケジュールデータを記憶する記憶手段と、記憶したスケジュールデータを表示する表示手段と、を備えたことを特徴とする情報管理システム。
【０００６】
この構成によれば、勤怠管理装置は、個人識別媒体に割り当てられたＩＤを読み取ることで、当該ＩＤに対応する個人が出退社の打刻をした時刻を取得して記憶する。そして、読み取ったＩＤに対応するスケジュールデータをスケジュール記憶手段（スケジュールデータベース）から抽出し、これを個人識別媒体に送信する。個人識別媒体は、勤怠管理装置から送信されたスケジュールデータを受信し、これを記憶する。そして、記憶したスケジュールデータを自身の表示手段に表示する。つまり、出退社時の打刻により、各ユーザ（従業員）の勤怠管理と当該ユーザが所有する個人識別媒体へのスケジュールデータの書き込みとの両方を行うことができる。出退社の打刻という日常的に行われる行為により、自動的にスケジュールデータの書き込みを行うことができるため、ユーザが意識することなく（ユーザがスケジュールデータを書き込む行為を行うことなく）、スケジュールデータを個人識別媒体へ書き込む（転送する）ことができる。これにより、個人識別媒体へスケジュールデータを転送し忘れることを防止することができ、例えば、外出先等でスケジュールを確認する場合に、スケジュールデータの転送し忘れにより、スケジュールの確認ができないといったことがなくなる。また、スケジュールデータを個人識別媒体に表示することができるため、スケジュールの確認が必要なときに（例えば、会議室等で打ち合わせをしている際に、次の打合せの日程を決める場合等）、その場で直ぐに簡単に確認することができる。なお、個人識別媒体としては、社員証カードや携帯電話などが考えられる。
【０００７】
本発明の情報管理システムにおいて、勤怠管理装置は、スケジュール記憶手段から、所定の条件に一致するスケジュールデータを抽出するための抽出条件を設定する抽出条件設定手段をさらに備え、スケジュール抽出手段は、設定された抽出条件に基づいて、スケジュールデータを抽出することが好ましい。
【０００８】
この構成によれば、勤務管理装置は、所定の条件に一致するスケジュールデータを抽出するための抽出条件を設定し、この設定した抽出条件に一致するスケジュールデータを抽出することができる。これにより、例えば、抽出条件を「翌日から１週間」とすることで、対象となるユーザの翌日から１週間分のスケジュールを抽出することができる。なお、抽出条件は、所定期間（例えば、翌日のみ、当月分、翌日から１週間、当日から１ヶ月等）を設定しても良いし、「スケジュールにイベントが記載されている日のみ」等の所定のカテゴリを設定しても良い。また、所定期間と所定のカテゴリとを組み合わせて「当日から１ヶ月の期間でイベントが記載されている日」等を設定することが可能である。また、全ての個人に共通の抽出条件を設定するようにしても良いし、あるいは、個人毎に抽出条件を設定できるようにしても良い。
【０００９】
本発明の情報管理システムにおいて、個人識別媒体は、表示手段による表示内容を切り替えるための操作手段をさらに備えたことが好ましい。
【００１０】
この構成によれば、個人識別媒体に表示されている内容を切り替えることができる。これにより、例えば、取得したスケジュールが１画面におさまりきらない場合においても、画面を切り替える（例えば、画面をスクロールさせる）ことができ、ユーザは確実に全てのスケジュールを確認することができる。
【００１１】
本発明の情報管理システムにおいて、個人識別媒体は、カード型の媒体であり、表示手段は、電子ペーパーで形成されていることが好ましい。
【００１２】
この構成によれば、個人識別媒体は、カード型の形状であり、その表示手段は電子ペーパーで形成されている。これにより、例えば、一般的に普及している社員証カードの代わりとして用いることが可能となる。また、表示手段が電子ペーパーで形成されているため、表示内容の書き換え時のみ微小電力を必要とするだけで、表示内容を維持するための電力は不要となり、省電力で画面表示を行うことができる。
【００１３】
本発明の個人識別媒体は、上記に記載の情報管理システムに用いられることを特徴とする。
【００１４】
これを用いることにより、スケジュールデータを個人識別媒体に記憶し、当該スケジュールデータを表示することができる個人識別媒体を提供することができる。
【発明を実施するための最良の形態】
【００１５】
以下、添付の図面を参照して、本実施形態に係る情報管理システムについて説明する。本実施形態に係る情報管理システムは、各従業員（個人）の出退社時刻等の勤怠情報管理およびスケジュール管理を行うシステムである。なお、本実施形態では、個人識別媒体として社員証カードを例に挙げて説明する。
【００１６】
図１に示すように、本発明の情報管理システム１は、各従業員が出退社時の打刻に用いる社員証カード２（個人識別媒体）と、各従業員の勤怠管理およびスケジュール管理を行う勤怠管理装置３と、により構成されている。
【００１７】
勤怠管理装置３は、社員証カード２を読み取るタイムレコーダ４（読取手段）と、従業員の出退社時刻等を管理する勤怠管理サーバ５と、従業員のスケジュールを管理するスケジュール管理サーバ６と、を備えている。
【００１８】
タイムレコーダ４は、表示部１１、カード用送受信部１２（スケジュール送信手段）、通信部１３、計時部１４、および各部を制御する制御部１５を有している。表示部１１は、現在時刻（日時）および従業員に向けたメッセージ等を文字表示する。カード用送受信部１２は、社員証カード２と通信を行う。従業員により社員証カード２による出退社打刻が行われると、制御部１５は、カード用送受信部１２を介して当該社員証カード２のＩＤ情報を読み取る（社員証カード２からＩＤ情報を受信する）。また、後述するスケジュールデータを社員証カード２に送信する。
【００１９】
計時部１４は、タイムレコーダ４に内蔵されたＲＴＣ（Real Time Clock）であり、日時をカウントする。本実施形態では、社員証カード２からＩＤ情報を読み取った時刻（社員証カード２で打刻が行われた時刻。以下、「ＩＤ情報読取時刻」と称す。）を取得するために用いられる。また、制御部１５は、所定の時間間隔で、勤怠管理サーバ５との間で時刻の同期を行い、勤怠管理サーバ５の時刻に計時部１４の時刻を合わせる。通信部１３は、勤怠管理サーバ５と通信を行う。制御部１５は、社員証カード２から読み取ったＩＤ情報およびＩＤ情報読取時刻を勤怠管理サーバ５へ送信する。また、勤怠管理サーバ５からスケジュールデータを受信する。
【００２０】
勤怠管理サーバ５は、制御部２１、通信部２２、記憶部２３の他、一般的なパーソナルコンピュータに搭載されるハードウェア構成を有している。制御部２１は、ＣＰＵ２５、ＲＯＭ２６およびＲＡＭ２７を有し、勤怠管理サーバ５全体を制御する。ＲＯＭ２６は、ＣＰＵ２５が各種処理を実行するための制御プログラムや制御データを記憶する。また、ＲＡＭ２７は、ＣＰＵ２５が各種処理を実行する際の作業領域として利用される。
【００２１】
通信部２２は、ネットワークを介してタイムレコーダ４およびスケジュール管理サーバ６と通信を行う。制御部２１は、通信部２２を介してタイムレコーダ４から社員証カード２のＩＤ情報およびＩＤ情報読取時刻を受信したり、タイムレコーダ４へスケジュールデータの送信を行う。また、制御部２１は、スケジュール管理サーバ６へ社員証カード２のＩＤ情報、ＩＤ情報読取時刻およびスケジュールデータの抽出条件を送信し、この結果としてスケジュール管理サーバ６からスケジュールデータの受信を行う。スケジュールデータの抽出条件は、スケジュールデータの抽出対象となる期間であり、制御部２１は、勤怠管理サーバ５の管理者の指示により予めこの抽出条件を設定し（抽出条件設定手段）、スケジュール管理サーバ６に対して当該抽出条件に基づいたスケジュールデータの抽出を依頼する。これにより、所望する期間のスケジュールデータを抽出することができ、例えば、抽出条件を「当日から１週間」とすることで、対象となる従業員の当日から１週間分のスケジュールを抽出することができる。
【００２２】
記憶部２３は、勤怠管理データベース２８（出退時刻記録手段）を有し、従業員の日々の出社／退社時刻、勤務時間等の勤怠情報（勤務実績）が記録される。制御部２１は、タイムレコーダ４から受信した社員証カード２のＩＤ情報およびＩＤ情報読取時刻に基づいて、従業員を特定すると共にその取得した時刻を出社時刻または退社時刻として勤怠管理データベース２８に記録する。そして、これら出退社時刻から、従業員の勤務時間を算出する。
【００２３】
スケジュール管理サーバ６は、制御部３１、通信部３２、記憶部３３の他、一般的なパーソナルコンピュータに搭載されるハードウェア構成を有している。制御部３１は、ＣＰＵ３５、ＲＯＭ３６およびＲＡＭ３７を有し、スケジュール管理サーバ６全体を制御する。ＲＯＭ３６は、ＣＰＵ３５が各種処理を実行するための制御プログラムや制御データを記憶する。また、ＲＡＭ３７は、ＣＰＵ３５が各種処理を実行する際の作業領域として利用される。
【００２４】
記憶部３３は、スケジュールデータベース３８（スケジュール記憶手段）を有している。スケジュールデータベース３８には、各従業員のＩＤ情報および各従業員のスケジュールデータが関連付けられて記憶されている。なお、このスケジュールデータは、事前に各従業員によって登録されているものとする。
【００２５】
通信部３２は、勤怠管理サーバ５と通信を行う。制御部３１は、通信部３２を介して勤怠管理サーバ５から社員証カード２のＩＤ情報、ＩＤ情報読取時刻および抽出条件を受信する。そして、当該ＩＤ情報に関連付けられた従業員のスケジュールデータを勤怠管理サーバ５に送信する。この時、制御部３１は、スケジュールデータベース３８から、当該抽出条件に基づいて対象となるスケジュールデータを抽出し（スケジュール抽出手段）、これを勤怠管理サーバ５に送信する。
【００２６】
社員証カード２は、通信部４１（スケジュール受信手段）、記憶部４２、電源部４３、表示部４４（表示手段）、操作部４５（操作手段）、および各部を制御する制御部４６を備えている。通信部４１は、タイムレコーダ４と通信を行う。当該社員証カード２による出退社打刻に際し、制御部４６は、通信部４１を介してタイムレコーダ４からのＩＤ情報の読取要求を検出し、この検出をトリガとしてタイムレコーダ４に対してＩＤ情報を送信する。また、制御部４６は、当該出退社打刻に際し、タイムレコーダ４からスケジュールデータを受信する。
【００２７】
記憶部４２は、個人情報記憶部５１およびスケジュール記憶部５２（記憶手段）から成り、個人情報記憶部５１には、当該社員証カード２の所有者である従業員の個人情報（ＩＤ情報、氏名、会社名、所属、顔写真等）が記憶されている。また、スケジュール記憶部５２には、当該従業員のスケジュールデータが記憶されている。電源部４３は、社員証カード２を動作させる電池であり、各部に電源を供給する。
【００２８】
表示部４４は、電子ペーパー５３で形成されており、従業員の個人情報やスケジュールデータを表示する（詳細は後述する）。表示部４４が電子ペーパーで形成されているため、表示内容の書き換え時のみ微小電力を必要とするだけで、表示内容を維持するための電力は不要となり、省電力で画面表示を行うことができる。
【００２９】
操作部４５は、表示部４４の表示内容を切り替えるためのものであり、表示内容を上下にスクロールさせるためのスクロールボタン５５を有している。これにより、例えば、取得したスケジュールデータが１画面におさまりきらない場合においても、表示内容を切り替える（表示内容をスクロールさせる）ことができ、ユーザは確実に全てのスケジュールを確認することができる。なお、操作部４５は、上述の表示部４４をタッチパネルにすることで、表示部４４と一体に構成するようにしても良いし、あるいは、表示部４４とは別体に構成するようにしても良い。
【００３０】
ここで、図２を参照して、社員証カード２の表示内容の一例を説明する。図２に示すように、社員証カード２（表示部４４）には、個人情報として、会社名７１、従業員の所属７２、従業員の氏名７３、従業員ＩＤ（ＩＤ情報）７４および従業員の顔写真７５が表示されると共に、従業員のスケジュールデータ７６が表示される。このスケジュールデータ７６が表示部４４に表示しきれない場合、従業員がスクロールボタン５５を操作することにより、表示内容を切り替えることができる。図２では、スケジュールデータベース３８から、「当日から１週間分」という抽出条件で抽出されたスケジュールデータ７６がスケジュール記憶部５２に記憶されている様子を示している。この場合、図２（ａ）の状態では、スケジュールデータ７６の一部（２日分）しか表示されていない。この状態でスクロールボタン５５ａを押すことで、図２（ｂ）のように表示が切り替わり、さらにスクロールボタン５５ａを押すことで、図２（ｃ）のように表示が切り替わる。また、スクロールボタン５５ｂにより、図２（ｃ）→（ｂ）→（ａ）のように表示内容を切り替えることも可能である。これにより、従業員は全てのスケジュール（当日から１週間）を確認することができる。なお、表示内容の画面配置、および操作部４５（スクロールボタン５５）の位置はあくまで一例であり、これに限るものではない。
【００３１】
次に、図３のフローチャートを参照し、社員証カード２にスケジュールデータを表示するまでの処理の手順について説明する。なお、スケジュールデータの抽出条件は、「当日から１週間」に設定されているものとする。まず、タイムレコーダ４は、社員証カード２のＩＤ情報を読み取るために、常にＩＤ読取要求を送信している（Ｓ０１）。この状態で、従業員が社員証カード２をタイムレコーダ４にかざすと、社員証カード２は、タイムレコーダ４からのＩＤ読取要求を検出する（Ｓ０２）。社員証カード２は、このＩＤ読取要求の検出をトリガとして、タイムレコーダ４に対して個人情報記憶部５１に記憶されたＩＤ情報を送信する（Ｓ０３）。
【００３２】
タイムレコーダ４は、ＩＤ情報を受信すると（Ｓ０４）、当該ＩＤ情報、および当該ＩＤ情報を受信した時刻であるＩＤ情報読取時刻を勤怠管理サーバ５に送信する（Ｓ０５）。勤怠管理サーバ５は、ＩＤ情報およびＩＤ情報読取時刻を受信すると（Ｓ０６）、スケジュール管理サーバ６に対して受信したＩＤ情報および設定したスケジュールデータの抽出条件を送信する（Ｓ０７）。
【００３３】
スケジュール管理サーバ６は、ＩＤ情報および抽出条件を受信する（Ｓ０８）。そして、スケジュール管理サーバ６は、受信したＩＤ情報および抽出条件に基づき、対象となるスケジュールデータ（ここでは当該ＩＤ情報に対応するスケジュールデータの内、当日から１週間分のスケジュールデータ）を抽出する（Ｓ０９）。そして、スケジュール管理サーバ６は、抽出したスケジュールデータを勤怠管理サーバ５に送信する（Ｓ１０）。勤怠管理サーバ５は、スケジュールデータを受信し（Ｓ１１）、これをタイムレコーダ４に送信する（Ｓ１２）。タイムレコーダ４は、スケジュールデータを受信し（Ｓ１３）、これを社員証カード２に送信する（Ｓ１４）。社員証カード２は、スケジュールデータを受信すると（Ｓ１５）、これをスケジュール記憶部５２に記憶し（Ｓ１６）、スケジュール記憶部５２からスケジュールデータを読み出して表示部４４に表示する（Ｓ１７）。
【００３４】
以上のように、本実施形態によれば、従業員による出退社時の打刻により、各従業員の勤怠管理はもちろんのこと、当該従業員が所有する社員証カード２へのスケジュールデータの書き込みを行うことができる。出退社の打刻という日常的に行われる行為により、自動的にスケジュールデータの書き込みを行うことができるため、従業員が意識することなく（従業員がスケジュールデータを書き込む行為を行うことなく）、スケジュールデータを社員証カード２へ書き込むことができる。これにより、社員証カード２へスケジュールデータを転送し忘れることを防止することができ、例えば、外出先等でスケジュールを確認する場合に、スケジュールデータの転送し忘れにより、スケジュールの確認ができないといったことがなくなる。また、スケジュールデータを社員証カード２に表示することができるため、スケジュールの確認が必要なときに（例えば、会議室等で打ち合わせをしている際に、次の打合せの日程を決める場合等）、その場で直ぐに簡単に確認することができる。
【００３５】
なお、本実施形態では、個人識別媒体として、社員証カード２を例に挙げ説明しているが、これに限らず、携帯電話等の携帯情報端末であっても良い。
【００３６】
また、スケジュールデータを社員証カード２に送信するタイミングとしては、出社打刻をした時のみでも良いし、退社打刻をした時のみでも良い。あるいは、これら両方の打刻時にスケジュールデータを送信するようにしても良い。
【００３７】
また、抽出条件は、所定期間（例えば、翌日のみ、当月分、翌日から１週間、当日から１ヶ月等）を設定するのみならず、例えば、「スケジュールにイベントが記載されている日のみ」等の所定のカテゴリを設定しても良い。また、所定期間と所定のカテゴリとを組み合わせることで、例えば、「当日から１週間の期間でイベントが記載されている日」のみを社員証カード２に表示することも可能である（図４参照）。
【００３８】
また、抽出条件は、全ての従業員に共通の抽出条件を設定するようにしても良いし、あるいは、従業員毎に抽出条件を設定できるようにしても良い。
【００３９】
また、社員証カード２に対するスケジュールデータの送信に際し、前回の送信したスケジュールデータと異なる場合にのみ、スケジュールデータを送信するようにしても良い。例えば、出社打刻および退社打刻の両方の打刻の際に社員証カード２に対してスケジュールデータを送信する場合、出社打刻時のスケジュールデータと、退社打刻時のスケジュールデータとが同じものであれば、退社打刻時のスケジュールデータを送信しないようにする。また、例えば、抽出条件が「当月分のスケジュール」となっている場合においては、月初めにスケジュールデータの送信を行い、その後は、当月のスケジュールデータが更新された場合にのみスケジュールデータの送信を行うようにする。これにより、不要なデータの送信を制御することができる。
【００４０】
また、上述した実施例によらず、情報管理システム１の装置構成や処理工程、および社員証カード２における表示内容の表示位置等について、本発明の要旨を逸脱しない範囲で、適宜変更も可能である。
【図面の簡単な説明】
【００４１】
【図１】本発明の一実施形態に係る情報管理システムのブロック図である。
【図２】社員証カードの表示内容を説明する図である。
【図３】社員証カードにスケジュールデータを表示するまでの処理の手順について説明するフローチャートである。
【図４】社員証カードの表示内容の一例を説明する図である。
【符号の説明】
【００４２】
１…情報管理システム  ２…社員証カード  ３…勤怠管理装置  ４…タイムレコーダ  ５…勤怠管理サーバ  ６…スケジュール管理サーバ  ２８…勤怠管理データベース  ３８…スケジュールデータベース  ４４…表示部  ４５…操作部  ５２…スケジュール記憶部  ５４…電子ペーパー  ７６…スケジュールデータ
【図１】
2009193291.tif 000003
【図２】
2009193291.tif 000004
【図３】
2009193291.tif 000005
【図４】
2009193291.tif 000006